(57)【要約】【課題】空圧式の道具の構造の複雑化を抑制しつつ、この道具が使用された使用時間に基づく情報を出力できる計時装置を提供する。【解決手段】エアーの供給源から空圧式の道具にエアーを供給する供給流路１４の途中に設けられ、供給源から道具に向かって流れるエアーの流動を検出する検出部２２と、検出部２２の検出結果に基づいてエアーが流動した流動時間を計時する計時部２６と、計時部２６が計時した流動時間に基づく情報を出力する出力部２７とを備える。【選択図】図２
0003200967.tif 000002
【実用新案登録請求の範囲】
【請求項１】
エアーの供給源から空圧式の道具に前記エアーを供給する供給流路の途中に設けられ、前記供給源から前記道具に向かって流れる前記エアーの流動を検出する検出部と、
該検出部の検出結果に基づいて前記エアーが流動した流動時間を計時する計時部と、
該計時部が計時した前記流動時間に基づく情報を出力する出力部と
を備えることを特徴とする計時装置。
【請求項２】
駆動に伴って振動が生じる前記道具の振動に関する振動情報を入力するための入力部と、
入力された前記振動情報を記憶する記憶部と、
前記流動時間と前記振動情報とに基づいて前記道具を使用できる残り時間を取得する取得部と
をさらに備え、
前記出力部は、前記残り時間を出力することを特徴とする請求項１に記載の計時装置。
【請求項３】
前記供給流路を流動する前記エアーの流量と圧力のうち少なくとも一方を計測する計測部をさらに備えることを特徴とする請求項１又は請求項２に記載の計時装置。
【請求項４】
前記出力部から出力された情報を報知する報知部をさらに備えることを特徴とする請求項１〜請求項３のうち何れか一項に記載の計時装置。
【請求項５】
前記エアーの流動に伴って発電する発電部をさらに備えることを特徴とする請求項１〜請求項４のうち何れか一項に記載の計時装置。
【考案の詳細な説明】
【技術分野】
【０００１】
本考案は、例えば加圧供給されたエアーによって駆動される空圧式道具の使用時間を計時する計時装置に関する。
【背景技術】
【０００２】
従来から、例えば駆動に振動を伴う振動工具（道具）では、振動の大きさに応じて使用可能な時間が定められている。また、振動工具の中には、人体に付加されることとなる振動を検出する振動検出手段を備えたものが知られている（例えば特許文献１）。
【０００３】
そして、この振動工具では、検出した振動に基づいて限界時間を算出すると共に、振動工具の作業時間（使用時間）と限界時間から残存余裕時間（残り時間）を算出して表示部に表示していた。
【先行技術文献】
【特許文献】
【０００４】
【特許文献１】特開平１０−３２３３３０号公報
【考案の概要】
【考案が解決しようとする課題】
【０００５】
ところで、エアーにより駆動される空圧式の振動工具では、駆動に電力を必要としていない。そのため、振動検出手段や表示部を備える空圧式の振動工具では、表示のために専用の電気配線を備える必要があり、構造が複雑になってしまっていた。
【０００６】
本考案は、こうした実情に鑑みてなされたものであり、その目的は、空圧式の道具の構造の複雑化を抑制しつつ、この道具が使用された使用時間に基づく情報を出力できる計時装置を提供することにある。
【課題を解決するための手段】
【０００７】
以下、上記課題を解決するための手段について記載する。
上記課題を解決する計時装置は、エアーの供給源から空圧式の道具に前記エアーを供給する供給流路の途中に設けられ、前記供給源から前記道具に向かって流れる前記エアーの流動を検出する検出部と、該検出部の検出結果に基づいて前記エアーが流動した流動時間を計時する計時部と、該計時部が計時した前記流動時間に基づく情報を出力する出力部とを備える。
【０００８】
空圧式の道具では、エアーが流動した流動時間と、道具が使用された使用時間とが略同じになる。そのため、この構成によれば、供給流路を流動するエアーの流動時間を計時することにより、道具に直接電気的な構成を設けなくてもこの道具の使用時間を取得できる。さらに、出力部は、流動時間に基づく情報を出力する。したがって、空圧式の道具の構造の複雑化を抑制しつつ、この道具が使用された使用時間に基づく情報を出力できる。
【０００９】
上記計時装置は、駆動に伴って振動が生じる前記道具の振動に関する振動情報を入力するための入力部と、入力された前記振動情報を記憶する記憶部と、前記流動時間と前記振動情報とに基づいて前記道具を使用できる残り時間を取得する取得部とをさらに備え、前記出力部は、前記残り時間を出力するのが好ましい。
【００１０】
例えば、駆動に伴って振動が生じる道具の場合、道具を使用できる時間が制限されることがある。その点、この構成によれば、記憶部に記憶された振動情報と、計時部が計時した流動時間とに基づいて、取得部が道具を使用できる残り時間を取得し、さらに出力部が残り時間を出力するため、利便性を向上できる。
【００１１】
上記計時装置は、前記供給流路を流動する前記エアーの流量と圧力のうち少なくとも一方を計測する計測部をさらに備えるのが好ましい。
この構成によれば、エアーの流量と圧力のうち少なくとも一方を計測する計測部を備えた。そのため、例えば計測部の計測結果に基づいて供給源からエアーを供給させることにより、エアーを効率よく供給させることができる。
【００１２】
上記計時装置は、前記出力部から出力された情報を報知する報知部をさらに備えるのが好ましい。
この構成によれば、出力部から出力された情報を報知部が報知することにより、利便性をより向上できる。
【００１３】
上記計時装置は、前記エアーの流動に伴って発電する発電部をさらに備えるのが好ましい。
この構成によれば、発電部が発電した電力を利用することにより、例えば外部の電源と接続するための配線を備えない構成にできる。
【考案の効果】
【００１４】
本考案の計時装置によれば、空圧式の道具の構造の複雑化を抑制しつつ、この道具が使用された使用時間に基づく情報を出力できる。
【図面の簡単な説明】
【００１５】
【図１】計時装置の第１実施形態の模式図。
【図２】計時装置のブロック図。
【図３】計時装置の第２実施形態の斜視図。
【図４】計時装置の模式部分断面図。
【図５】計時装置の変形例の斜視図。
【考案を実施するための形態】
【００１６】
（第１実施形態）
以下、計時装置の第１実施形態を図面に従って説明する。
図１に示すように、計時装置１１は、供給源１２から空圧式の道具１３にエアーを供給する供給流路１４に接続可能な複数（本実施形態では２つ）の第１接続部１５ａと第２接続部１６ａとを備えている。
【００１７】
供給源１２は、加圧して圧縮した圧搾空気（エアー）を供給する例えばコンプレッサーである。また、道具１３は、例えば使用者に把持されて研磨などに使用される手持ち式の振動工具である。そして、道具１３は、エアーの流動方向Ｘにおいて供給流路１４の下流端に接続され、供給流路１４の上流端に接続された供給源１２から供給されたエアーにより駆動される。
【００１８】
計時装置１１は、報知部の一例である表示部１７と、駆動に伴って振動が生じる道具１３の振動に関する振動情報を入力するための例えばボタンなどの入力部１８とを備えている。すなわち表示部１７は、表示により使用者に報知する。
【００１９】
また、供給流路１４には、第１接続部１５ａが接続可能な第１被接続部１５ｂと、第２接続部１６ａが接続可能な第２被接続部１６ｂとが設けられている。なお、第１被接続部１５ｂと第２被接続部１６ｂは、例えば雌雄一対のカプラーであって、計時装置１１が接続されない場合には互いに連結可能である。さらに、供給流路１４には、エアーの圧力を調整するための調圧器１９が設けられている。
【００２０】
図２に示すように、計時装置１１は、第１接続部１５ａ及び第２接続部１６ａを介して供給流路１４と接続することにより供給流路１４の一部を構成する接続流路２１を備えている。さらに、計時装置１１は、接続流路２１においてエアーの流動を検出する検出部２２と、エアーの流動に伴って発電する発電部２３とを備えている。すなわち、検出部２２は、供給流路１４の途中に設けられ、供給源１２から道具１３に向かって流動方向Ｘに流れるエアーの流動を検出する。そして、発電部２３は、接続流路２１内に設けた羽部２４がエアーの流動に伴って回転することにより発電する。
【００２１】
また、計時装置１１は、この計時装置１１を統括的に制御する制御部２５を備えている。この制御部２５は、検出部２２の検出結果に基づいてエアーが流動した流動時間を計時する計時部２６と、計時部２６が計時した流動時間に基づく情報を出力する出力部２７と備えている。さらに、制御部２５は、入力部１８により入力された振動情報を記憶する記憶部２８と、流動時間と振動情報とに基づいて道具１３を使用できる残り時間を取得する取得部２９とを備えている。
【００２２】
次に、計時装置１１が流動時間を計時する場合の作用について説明する。
まず使用者は、入力部１８を操作して道具１３の振動情報を入力する。すると、記憶部２８は入力された振動情報を記憶する。なお、本実施形態の振動情報は、道具１３の周波数補正振動加速度実効値の３軸合成値（以下、「振動値」ともいう。）ａ［ｍ／ｓ２］である。この振動値ａは、道具１３の製造者や輸入者により測定され、道具１３の本体や取扱説明書、カタログ、ホームページなどに表示されている。そして、振動値ａが入力されると、取得部２９は、以下の（１）式に基づいて、１日のうちに道具１３を使用することができる限界時間を算出する。
【００２３】
【数１】
0003200967.tif 000003
限界時間は、日振動ばく露量Ａ（８）が５．０［ｍ／ｓ２］となる時間Ｔである。具体的には、例えばａ＝５が入力された場合には、限界時間は８時間となる。また、例えばａ＝１０が入力された場合には、限界時間は２時間となる。そして、記憶部２８は、取得部２９が取得した限界時間を記憶する。
【００２４】
さて、道具１３が使用されると、供給流路１４内のエアーは、流動方向Ｘに流動する。すなわち、供給流路１４の一部を構成する接続流路２１においてもエアーが流動する。そして、検出部２２がエアーの流動を検出すると、計時部２６はエアーが流動した流動時間を計時する。
【００２５】
さらに、取得部２９は、記憶部２８に記憶された限界時間と、計時部２６が計時した流動時間とに基づいて、道具１３を使用できる残り時間を取得する。すなわち、取得部２９は、限界時間から流動時間を減算することにより残り時間を算出する。そして、出力部２７は、流動時間に基づく情報として残り時間を表示部１７に出力し、表示部１７は、出力部２７から出力された残り時間を表示する。
【００２６】
上記第１実施形態によれば、以下のような効果を得ることができる。
（１）空圧式の道具１３では、エアーが流動した流動時間と、道具１３が使用された使用時間とが略同じになる。そのため、供給流路１４を流動するエアーの流動時間を計時することにより、道具１３に直接電気的な構成を設けなくてもこの道具１３の使用時間を取得できる。さらに、出力部２７は、流動時間に基づく情報を出力する。したがって、空圧式の道具１３の構造の複雑化を抑制しつつ、この道具１３が使用された使用時間に基づく情報を出力できる。
【００２７】
（２）例えば、駆動に伴って振動が生じる道具１３の場合、道具１３を使用できる時間が制限されることがある。その点、記憶部２８に記憶された振動情報と、計時部２６が計時した流動時間とに基づいて、取得部２９が道具を使用できる残り時間を取得し、さらに出力部２７が残り時間を出力するため、利便性を向上できる。
【００２８】
（３）出力部２７から出力された情報を表示部１７が表示することにより、利便性をより向上できる。
（４）発電部２３が発電した電力を利用することにより、例えば外部の電源と接続するための配線を備えない構成にできる。
【００２９】
（第２実施形態）
次に、計時装置の第２実施形態について図を参照しながら説明する。なお、この第２実施形態は、接続部の数と表示する項目が第１実施形態の場合とは異なっている。そして、その他の点では第１実施形態とほぼ同じであるため、同一の構成については同一符号を付すことによって重複した説明は省略する。
【００３０】
図３に示すように、略直方体状の計時装置３１は、各側面に１つずつ設けられた複数（例えば４つ）の第１接続部３２ａ〜第４接続部３２ｄ（図４参照）を備えている。そして、供給流路１４は、第１接続部３２ａ〜第４接続部３２ｄのうち、何れか２つの接続部に接続部材（図示略）により接続される。なお、図３では、第１接続部３２ａと第２接続部３２ｂに供給流路１４が接続された状態を図示している。そして、供給流路１４が接続されていない第３接続部３２ｃと第４接続部３２ｄは、封止部材３３により封止されている。
【００３１】
さらに、計時装置３１は、電源ケーブル（図示略）が接続可能な電源ポート３４を備えている。すなわち、計時装置３１は、電源ポート３４に接続された電源ケーブル（図示略）を介して供給された電力により駆動される。
【００３２】
図４に示すように、計時装置３１は、第１接続部３２ａが設けられた第１分岐流路３５ａと、第２接続部３２ｂが設けられた第２分岐流路３５ｂと、第３接続部３２ｃが設けられた第３分岐流路３５ｃと、第４接続部３２ｄが設けられた第４分岐流路３５ｄとを備えている。そして、各分岐流路３５ａ〜３５ｄは、連通部３６を介して互いに連通している。
【００３３】
また、連通部３６には、エアーの流量を計測する計測部の一例である流量センサー３８と、エアーの圧力を計測する計測部の一例である圧力センサー３９とが設けられている。そして、分岐流路３５ａ〜３５ｄと連通部３６は、接続部３２ａ〜３２ｄに供給流路１４が接続されることにより、供給源１２から道具１３にエアーを供給する供給流路１４の一部を構成する。
【００３４】
次に、計時装置３１が流動時間を計時する場合の作用について説明する。
なお、図３に示すように、第１接続部３２ａには、流動方向Ｘにおける上流側の供給流路１４が接続されると共に、第２接続部３２ｂには下流側の供給流路１４が接続されているものとする。
【００３５】
さて、図４に示すように、道具１３が使用されると、第１接続部３２ａから流入したエアーは、第１分岐流路３５ａ、連通部３６、第２分岐流路３５ｂの順に流動して第２接続部３２ｂから流出する。また、このとき、流量センサー３８は、エアーの流量を計測し、圧力センサー３９は、エアーの圧力を計測する。
【００３６】
さらに、計時部２６は、流量センサー３８の検出結果に基づいてエアーの流動時間を計時する。すなわち、計時部２６は、流量センサー３８が計測した瞬間流量がゼロよりも大きくなる時間を、エアーが流動した流動時間として計時する。したがって、本実施形態の流量センサー３８は、供給流路１４の途中に設けられてエアーの流動を検出する検出部の一例としても機能する。
【００３７】
そして、出力部２７は、取得部２９が第１実施形態と同様に取得した残り時間と、流量センサー３８が計測したエアーの流量と、圧力センサーが計測したエアーの圧力を表示部１７に出力し、表示部１７は、これらの情報を表示する。
【００３８】
上記第２実施形態によれば、上記第１実施形態の（１）〜（４）の効果に加えて以下のような効果を得ることができる。
（５）エアーの流量を計測する流量センサー３８と、エアーの圧力を計測する圧力センサー３９とを備えた。そのため、例えば流量センサー３８や圧力センサー３９の計測結果に基づいて供給源１２からエアーを供給させることにより、エアーを効率よく供給させることができる。
【００３９】
（６）流量センサー３８が計測したエアーの流量と、圧力センサー３９が計測したエアーの圧力を表示部１７に表示することにより、利便性を向上できる。
（７）分岐流路３５ａ〜３５ｄは、連通部３６を介して互いに連通しているため、何れの接続部３２ａ〜３２ｄに供給流路１４を接続した場合であっても、エアーは連通部３６を流動する。したがって、連通部３６に流量センサー３８と圧力センサー３９を設けることにより、供給流路１４が接続される接続部３２ａ〜３２ｄに関係なくエアーの流量と圧力を計測することができる。
【００４０】
（８）３つ以上の接続部３２ａ〜３２ｄを備えることにより、供給流路１４や表示部１７の配置に適した接続部３２ａ〜３２ｄを選択して供給流路１４を接続することができる。すなわち、供給流路１４の引き回しを抑制しつつ、使用者が確認しやすい向きに計時装置３１を配置することができる。
【００４１】
なお、上記実施形態は以下のように変更してもよい。
・上記各実施形態において、図５に示すように、計時装置４１は、例えばＵＳＢケーブルなどの通信ケーブル（図示略）が接続可能な通信ポート４２を備えてもよい（変形例）。すなわち、出力部２７は、通信ポート４２に接続された通信ケーブルを介してコンピューターなどの外部機器に流動時間に基づく情報を出力してもよい。
【００４２】
・上記各実施形態において、出力部２７は、無線によって外部機器に流動時間に基づく情報を出力してもよい。また、出力部２７は、着脱可能な記憶媒体に情報を出力し、外部機器は、記憶媒体から情報を取得してもよい。
【００４３】
・上記各実施形態において、出力部２７は、流動時間を外部機器に出力し、取得部２９は、外部機器において算出された残り時間を取得してもよい。また、入力部１８や記憶部２８は、外部機器が備えていてもよい。
【００４４】
・上記各実施形態において、出力部２７が外部機器に情報を出力する場合には、計時装置１１，３１は、報知部を備えない構成としてもよい。また、外部機器に報知部を設けてもよい。
【００４５】
・上記各実施形態において、計時装置１１，３１は、供給流路１４を備えていてもよい。すなわち、例えば計時装置１１と供給流路１４とを固定し、供給流路１４の上流端と下流端に設けた接続部によって供給源１２や道具１３と接続してもよい。
【００４６】
・上記各実施形態において、計時装置１１，３１は、流動方向Ｘにおいて供給源１２と供給流路１４との間に配置してもよい。また、計時装置１１，３１は、流動方向Ｘにおいて供給流路１４と道具１３との間に配置してもよい。
【００４７】
・上記各実施形態において、供給流路１４に複数の道具１３を接続してもよい。すなわち、例えば１つの供給源１２から供給したエアーを、複数の道具１３に供給してもよい。そして、計時装置１１，３１は、供給源１２と供給流路１４と道具１３とにより構成される空圧システムに対して１つ設けてもよい。また、空圧システムに対して複数の計時装置１１，３１を設けてもよい。例えば、１つの道具１３と個別に対応するように計時装置１１，３１を設けてもよい。また、複数の道具１３と対応するように計時装置１１，３１を設けてもよい。なお、複数の道具１３と対応するように計時装置１１，３１を設ける場合は、計時装置１１，３１よりも下流側において供給流路１４を分岐させて道具１３を接続してもよい。また、３つ以上の接続部３２ａ〜３２ｄを備える計時装置３１に３つ以上の供給流路１４を接続し、１つの供給流路１４から流入したエアーを、２つ以上の供給流路１４に流出させて道具１３に供給してもよい。
【００４８】
・上記各実施形態において、計時装置１１，３１は、電源ポート３４と発電部２３の少なくとも一方を備えてもよい。すなわち、計時装置１１，３１は、発電部２３を備えない構成としてもよい。また、計時装置１１，３１は、乾電池、蓄電池、太陽電池などの電池から供給された電力により駆動されてもよく、この場合には、電源ポート３４や発電部２３を備えない構成としてもよい。
【００４９】
・上記各実施形態において、報知部は、使用者に報知することができれば任意に選択することができる。例えば、報知部は、音によって報知するスピーカー、チャイム、ブザー、ベル、鐘などの音具としてもよい。また、報知部は、光によって報知する発光ダイオード（ＬＥＤ）、蛍光灯、電球、キセノンランプなどの発光部や、振動によって報知する振動部としてもよい。そして、例えば表示部１７は、複数のＬＥＤを並べて配置したＬＥＤディスプレイや７セグメントＬＥＤ、また液晶ディスプレイやＥＬディスプレイとしてもよい。さらに、報知部は、残り時間がゼロになったタイミングでエアーの供給を遮断することで報知する弁としてもよい。そして、報知部は、例えば流動時間や残り時間が予め設定した時間となったタイミングや、残り時間がゼロになったタイミングで報知してもよい。すなわち、例えば報知部として音具を備える場合には、音を出したり、音声によるメッセージや音楽を流すことで報知してもよい。報知部として発光部や振動部を備える場合には、タイミングごとに発光パターンや振動パターンを変化させて報知してもよい。また、報知部は、これらを組み合わせて報知してもよい。
【００５０】
・上記各実施形態において、流量センサー３８と圧力センサー３９を備えない構成としてもよい。また、流量センサー３８と圧力センサー３９の何れか一方を備える構成としてもよい。また、流量センサー３８は、熱式、超音波式、コリオリ式、カルマン渦式、浮き子式、ダイヤフラム式など、任意に選択することができる。
【００５１】
・上記各実施形態において、入力部１８は、リセットボタンを備えてもよい。そして、リセットボタンが操作されると計時した流動時間をリセットしてもよい。また、計時装置１１，３１は、時計を備え、日付が変わるタイミングや予め設定されたタイミング、流動時間の計時を開始した時間から２４時間が経過したタイミングなどで流動時間をリセットしてもよい。
【００５２】
・上記各実施形態において、出力部２７は、流動時間に基づく情報として計時部２６が計時した流動時間を出力してもよい。すなわち、表示部１７は、流動時間を表示してもよい。また、例えば入力部１８の操作により流動時間と残り時間の表示を切り替え可能としてもよい。
【００５３】
・上記各実施形態において、出力部２７は、流量センサー３８が計測した瞬間流量や積算流量（エアーの消費量）を表示部１７などに出力してもよい。また、圧力センサー３９が計測した瞬間圧力、最大圧力、平均圧力などを表示部１７などに出力してもよい。また、例えば入力部１８の操作によりこれらの表示を切り替え可能としてもよい。
【００５４】
・上記各実施形態において、入力部１８から使用者に関する使用者情報を入力し、記憶部２８は、入力された使用者情報を記憶してもよい。すなわち、計時装置１１，３１は、複数人で共用可能としてもよい。そして、複数の使用者情報を入力する場合には、使用者ごとに流動時間を計時してもよい。さらに、出力部２７は、使用者ごとに計時された流動時間を、使用者情報と関連付けて出力してもよく、表示部１７は、使用者情報を表示してもよい。また、使用者情報は、予め入力して記憶部２８に記憶しておき、使用時には入力部１８を操作して使用者情報を選択してもよい。
【００５５】
具体的には、第１使用者に関する第１使用者情報が選択された状態で道具１３が使用されると、記憶部２８は、計時された流動時間と第１使用者情報とを関連付けた第１流動時間を記憶する。そして、第１使用者とは異なる第２使用者に関する第２使用者情報が選択された状態で道具１３が使用されると、計時部２６は、流動時間をリセットしてから計時する。さらに、記憶部２８は、計時された流動時間と第２使用者情報とを関連付けた第２流動時間を記憶する。また、記憶部２８に記憶されている流動時間と関連する使用者情報が選択された場合には、計時部２６は、記憶部２８に記憶されている流動時間の続きから計時する。すなわち、例えば、第１使用者情報が選択された場合には、計時部２６は、記憶部２８に記憶された第１流動時間に続けて計時する。
【００５６】
・上記各実施形態において、道具１３の振動情報の一例として、限界時間を入力してもよい。そして、記憶部２８は、入力された限界時間を記憶し、取得部２９は、限界時間から流動時間を減算して残り時間を取得してもよい。
【００５７】
・上記各実施形態において、道具１３は交換可能としてもよい。そして、取得部２９は、交換した道具１３の振動情報に基づいて、残り時間を取得し直してもよい。なお、振動値ａの異なる道具１３を接続した場合の残り時間は、以下の（２）式に基づいて算出される。
【００５８】
【数２】
0003200967.tif 000004
具体的には、例えば振動値ａ＝５の道具１３を４時間使用した後、振動値ａ＝１０の道具１３が接続された場合を説明する。限界時間は、日振動ばく露量Ａ（８）が５．０［ｍ／ｓ２］となる時間Ｔであるため、以下の（３）式における時間Ｔが残り時間となる。なお、この場合は、時間Ｔ＝１となり、振動値ａ＝１０の道具１３を使用することができる残り時間は１時間となる。
【００５９】
【数３】
0003200967.tif 000005
また、３つ以上の道具１３を使用する場合でも、取得部２９は、上記（２）式に基づいて同様に残り時間を取得する。
【００６０】
・上記各実施形態において、道具１３の振動値ａは、限界時間や道具情報と関連付けて予め記憶部２８に記憶しておいてもよい。そして、使用者は、入力部１８を操作して振動値ａや道具情報を選択してもよい。
【００６１】
・上記各実施形態において、検出部２２は、流速センサーとしてもよい。そして、計時部２６は、流速センサーが検出した流速がゼロよりも大きくなった時間を計時してもよい。
【００６２】
・上記各実施形態において、エアーの流動に伴って発電する発電部２３は、エアーが流動すると発電し、エアーが停止している間は発電しない。したがって、計時部２６は、発電部２３が発電した時間を流動時間として計時してもよい。すなわち、発電部２３を検出部の一例として機能させてもよい。また、検出部２２は、エアーの流動のみを検出可能なセンサーとしてもよい。
【００６３】
・上記各実施形態において、供給源１２は、電気モーターや内燃機関の駆動に基づいて空気を圧縮する圧縮機（コンプレッサー）や、人力で動作させる空気ポンプ、加圧された空気を貯留したタンクやボンベなどとしてもよい。
【００６４】
・上記各実施形態において、供給流路１４は、可撓性を有するホースやチューブ、剛性を有する筒やパイプによって構成してもよい。また、これらを組み合わせて構成してもよい。
【００６５】
・空圧式の道具１３は、エアーにより駆動される道具であって、任意に選択することができる。また、供給流路１４に接続される道具１３は、交換や着脱が可能でも不可能でもよい。さらに、道具１３は、手持ち式に限らず、置き型式としてもよい。例えば、道具１３は、液体を噴霧するためのスプレーガンやエアブラシ、水などの液体を放出するためのエアーウォーターガン、送風機などとしてもよい。また、道具１３は、駆動に伴って振動が生じる空圧式の振動工具としてもよく、例として以下のものがある。針や釘などを打ち出すタッカー（鋲打機）やネイルガン（釘打機）。レンチやドライバーを回転させるレンチ、インパクトレンチ、ドライバー、インパクトドライバー（締結機）。リベットなどを打つハンマー。錆落としや研磨のためのサンダー、グラインダー、ケレン（研磨機）。鋸歯を往復運動させて切断を行うジグソーやレシプロソー（切断機）。穴をあけるためのドリルや、アスファルトやコンクリートを粉砕するためのブレーカー（切削機）。
【符号の説明】
【００６６】
１１，３１，４１…計時装置、１２…供給源、１３…道具、１４…供給流路、１７…表示部（報知部の一例）、１８…入力部、２１…接続流路（供給流路の一例）、２２…検出部、２３…発電部（検出部の一例）、２６…計時部、２７…出力部、２８…記憶部、２９…取得部、３５ａ〜３５ｄ…分岐流路（供給流路の一例）、３６…連結部（供給流路の一例）、３７…流量センサー（検出部、計測部の一例）、３８…圧力センサー（計測部の一例）、ａ…振動値（振動情報の一例）。
【図１】
0003200967.tif 000006
【図２】
0003200967.tif 000007
【図３】
0003200967.tif 000008
【図４】
0003200967.tif 000009
【図５】
0003200967.tif 000010